(57)【要約】【課題】画面操作ボタンを押した直後に確実に広告を表示することのできる広告表示プログラムを提供すること。【解決手段】画面非表示状態において画面操作ボタンが押された時に、オペレーティング・システムによってその動作画面が表示される広告表示プログラム１１であって、広告サーバ２から初期表示画像を含む広告コンテンツ１２を受信して動作画面に初期表示画像１２１を含める広告設定手段１１１を備えるものを、広告表示プログラム１１として提供する。広告コンテンツ１２に更にユーザによるロック解除後に表示されるメイン表示画像１２２、ブラウザによってナビゲートされる広告ＵＲＬ１２３を含み、これらを活用することで、広告効果を高めることができる。【選択図】図１
2018073304.tif 000002
【特許請求の範囲】
【請求項１】
以下の（１）〜（３）を備えるスマートフォンを「対象スマートフォン」とし、
（１）画面の表示状態と非表示状態とを切換える画面操作ボタンを有し、
（２）プログラムが、優先表示プログラムと通常プログラムに区分され、
（３）前記非表示状態において前記画面操作ボタンが押された時に、前記優先表示プログラムが動作中であれば該プログラムの動作画面を表示し、前記優先表示プログラムが動作中でなければロック画面を表示する、
対象スマートフォンにおいて動作する広告表示プログラムであって、
優先表示プログラムであり、
広告サーバから初期表示画像を含む広告コンテンツを受信して動作画面に前記初期表示画像を含める広告設定手段を備えることを特徴とする、広告表示プログラム。
【請求項２】
前記動作画面またはそこから遷移する画面において、対象スマートフォンのロック解除操作を起動するロック解除起動手段を備え、
前記広告コンテンツは、メイン表示画像を更に含み、
ユーザによるロック解除後に、前記メイン表示画像を含む広告画面を表示することを特徴とする、請求項１に記載の広告表示プログラム。
【請求項３】
前記広告コンテンツは、広告ＵＲＬを更に含み、
前記広告画面は、ブラウザに前記広告ＵＲＬのコンテンツを表示させるナビゲート手段を備えることを特徴とする、請求項２に記載の広告表示プログラム。
【請求項４】
音楽を再生する音楽プレイヤーとして動作し、
再生される音楽は無音であることを特徴とする、請求項１〜３のいずれか１項に記載の広告表示プログラム。
【請求項５】
前記広告画面を表示したこと、及び、前記ナビゲート手段が起動されたことを、前記広告サーバに伝達することを特徴とする、請求項１〜４のいずれか１項に記載の広告表示プログラム。
【発明の詳細な説明】
【技術分野】
【０００１】
本発明は、スマートフォンにおいて動作する広告表示プログラムに関する。
【背景技術】
【０００２】
スマートフォンのユーザに広告を見せるために、スマートフォンの画面に広告を表示することが行われている。しかし、表示された広告をユーザが実際に見たことを確認することは容易でない。ユーザが一連の操作をしている時に広告を表示しても、広告を見ることなく次の操作を行ってしまう場合が考えられるためである。
【０００３】
そこで、ユーザが広告を見る可能性の大きな時に広告を表示するものとして、特許文献１には、アプリケーションの起動時にアプリケーションの画面よりも上位の画面に広告を表示することが開示されている。ユーザはアプリケーションの起動を待って画面を見ていると考えられ、広告を見る可能性が高い。一方、各々のアプリケーションが起動される頻度は低いかもしれず、広告が表示される頻度が高いことが保証されるものではない。
【０００４】
十分な頻度で広告が表示され、見られる時として、画面の表示状態と非表示状態とを切換える画面操作ボタン（「電源ボタン」と呼ばれるが、実際に電源のオン／オフを行っているものではなく画面表示のみがオン／オフされる。本明細書では「画面操作ボタン」と言うこととする。）を押して画面を非表示から表示にする時が挙げられる。多くのユーザが多数回行う操作であり、広告が表示され、見られる頻度が高いことが期待される。
【０００５】
画面表示をオンとする際、スマートフォンは「ロック画面」と呼ばれる画面を表示し、そこから暗証番号等を入力する操作（ロック解除操作）に移行する。ロック画面に広告を表示することが効果的である。この点、特許文献１及び２にはロック画面に広告を表示することが開示されている。
【０００６】
しかし、特許文献１及び２には、いかなる方法でロック画面に広告を表示するかについて、十分な説明がなされていない。ロック画面はスマートフォン上のオペレーティング・システムが表示するものであり、ユーザは自らの嗜好でロック画面を設定する。すなわち、「所定の動作」（特許文献１）、「ロック画面に出力」（特許文献２）との表現は、オペレーティング・システムやユーザの設定に影響されずに所要の広告が必ず表示されることを保証するまでの説明ではない。
【０００７】
また、非特許文献１には、「ロック画面」に広告配信を行うことが開示されている。オペレーティング・システムがアンドロイド（登録商標）のように画面操作ボタンを押して画面をオンにする際に動作するプログラムを設定することができるものである場合には、画面操作ボタンを押した直後の画面（「ロック画面」を「ロック解除操作の前に表示される固定画面」と狭義に定義すると、非特許文献１に開示されたものは、画面操作ボタンを押した直後に「ロック画面以外の画面」を表示していることとなる。この点、本明細書では、誤解を避けるため「ロック画面」を狭義の定義とする。）に広告を配信することができる。一方、ｉＯＳ（登録商標）のように画面操作ボタンを押して画面をオンにする際に動作するプログラムをオペレーティング・システムが定めている場合には、非特許文献１に開示されたものによって広告を配信することが容易でない。
【先行技術文献】
【特許文献】
【０００８】
【特許文献１】特開２０１４−２３９４７８号公報
【特許文献２】特表２０１５−５２０９０３号公報
【非特許文献】
【０００９】
【非特許文献１】楽天、スマホ「ロック画面」に広告配信  http://japan.cnet.com/marketers/news/35067297/
【発明の概要】
【発明が解決しようとする課題】
【００１０】
本発明は、画面操作ボタンを押した直後に確実に広告を表示することのできる広告表示プログラムを提供することを課題とする。
【課題を解決するための手段】
【００１１】
スマートフォンは、電話の着信等に備え、画面非表示の時にも何らかのプログラムが動作している。かかるプログラムが画面表示の時には画面表示を行うものである場合には、画面操作ボタンを押して画面をオンにする際に、そのプログラムの動作画面が表示される。
【００１２】
画面非表示の時に動作し、かつ、画面表示の時には画面表示を行うプログラムとしては、音楽プレイヤーが知られている。すなわち、スマートフォンのオペレーティング・システムの一部でなく外部からインストールされるプログラムであっても、画面操作ボタンを押して画面をオンにする際に、自らの画面を表示することができる。
【００１３】
本発明は、画面非表示の時に動作し、かつ、画面表示の時には画面表示を行うプログラムによって、画面操作ボタンを押した直後に確実に広告を表示することのできる広告表示プログラムを提供する。
【００１４】
本発明の広告表示プログラムは、
以下の（１）〜（３）を備えるスマートフォンを「対象スマートフォン」とし、
（１）画面の表示状態と非表示状態とを切換える画面操作ボタンを有し、
（２）プログラムが、優先表示プログラムと通常プログラムに区分され、
（３）前記非表示状態において前記画面操作ボタンが押された時に、前記優先表示プログラムが動作中であれば該プログラムの動作画面を表示し、前記優先表示プログラムが動作中でなければロック画面を表示する、
対象スマートフォンにおいて動作する広告表示プログラムであって、
優先表示プログラムであり、
広告サーバから初期表示画像を含む広告コンテンツを受信して動作画面に前記初期表示画像を含める広告設定手段を備えることを特徴とする。
【００１５】
この特徴によれば、広告設定手段によって表示すべき初期表示画像が動作画面に含まれ、その動作画面が画面操作ボタンを押した直後に確実に表示される。
【００１６】
ここで、「対象スマートフォン」としてスマートフォンを限定しているが、本出願時点のｉＯＳによるスマートフォンは「対象スマートフォン」である。また、音楽プレイヤーが動作可能であるスマートフォンは「対象スマートフォン」の要件を満たすと考えられる。多くのスマートフォンが「対象スマートフォン」に該当する。
【００１７】
本発明の広告表示プログラムは、
前記動作画面またはそこから遷移する画面において、対象スマートフォンのロック解除操作を起動するロック解除起動手段を備え、
前記広告コンテンツは、メイン表示画像を更に含み、
ユーザによるロック解除後に、前記メイン表示画像を含む広告画面を表示することを特徴とする。
【００１８】
この特徴によれば、ユーザによるロック解除後にも継続して広告を表示することができる。
【００１９】
本発明の広告表示プログラムは、
前記広告コンテンツは、広告ＵＲＬを更に含み、
前記広告画面は、ブラウザに前記広告ＵＲＬのコンテンツを表示させるナビゲート手段を備えることを特徴とする。
【００２０】
この特徴によれば、広告提供者のＵＲＬにユーザを誘導することができる。
【００２１】
本発明の広告表示プログラムは、
音楽を再生する音楽プレイヤーとして動作し、
再生される音楽は無音であることを特徴とする。
【００２２】
この特徴によれば、広告表示プログラムが容易に実装できる。
【００２３】
本発明の広告表示プログラムは、
前記広告画面を表示したこと、及び、前記ナビゲート手段が起動されたことを、前記広告サーバに伝達することを特徴とする。
【００２４】
この特徴によれば、ユーザによる広告閲覧の記録が広告サーバに蓄積され、広告効果を測定することができる。また、ユーザにポイントを付与する等の付加的サービスも可能となる。
【発明の効果】
【００２５】
本発明の広告表示プログラムによれば、画面操作ボタンを押した直後に確実に広告を表示することができる。
【図面の簡単な説明】
【００２６】
【図１】図１は、スマートフォン及び広告サーバの構成を示す図である。
【図２】図２は、広告処理プログラムの処理を示す図である。
【図３】図３は、ロック解除前の表示を示す図である。
【図４】図４は、ロック解除後の表示を示す図である。
【発明を実施するための形態】
【００２７】
以下、本発明に係る広告表示プログラムの実施例を示す。
【００２８】
（システムの構成）
図１は、スマートフォン及び広告サーバの構成を示す図である。スマートフォン１には、画面操作ボタン１ａが設けられている。スマートフォン１上のプログラムは、オペレーティング・システム１０の下で動作する。スマートフォン１には、プログラムとしての広告表示プログラム１１及びブラウザ１３がインストールされている。ここで、ブラウザ１３は、インターネットのホームページにアクセスしてその内容を表示するプログラムであり、広く用いられているものでよい。スマートフォン１は、記憶装置を備え、広告コンテンツ１２を記憶している。
【００２９】
広告表示プログラム１１は、広告設定手段１１１、ロック解除起動手段１１２及びナビゲート手段１１３を含む。
【００３０】
広告コンテンツ１２は、初期表示画像１２１、メイン表示画像１２２及び広告ＵＲＬ１２３を含む。
【００３１】
スマートフォン１は、広告サーバ２との間で通信が可能である。広告サーバ２では、広告配信プログラム２１及び広告管理プログラム２２が動作している。
【００３２】
（スマートフォンの動作）
スマートフォン１は、画面操作ボタン１ａを備え、画面操作ボタン１ａが操作される都度、画面の表示状態と非表示状態とを切換えて動作する。
【００３３】
画面表示状態は、プログラムの動作画面を表示して、プログラムが動作している状態である。
【００３４】
画面非表示状態は、画面表示がない状態である。プログラムは原則として動作しないが、一部の「優先表示プログラム」は動作する。例えば電話の着信に対応するプログラムは優先表示プログラムである。いかなるプログラムを優先表示プログラムとするかは、オペレーティング・システムによって決定され、スマートフォン提供者の設計事項である。ここで、音楽プレイヤーのプログラムも優先表示プログラムであると考えられる。画面表示をせずに音楽を聴くユーザに対応するためである。例えばｉＯＳにおいては、音楽プレイヤーのプログラムが優先表示プログラムとされている。
【００３５】
画面表示状態において、ユーザが画面操作ボタン１ａを押すと、画面の表示が消えて画面非表示状態となり、優先表示プログラム以外のプログラムは動作を停止する。
【００３６】
画面非表示状態において、ユーザが画面操作ボタン１ａを押すと、画面の表示がなされて、画面表示状態となる。その際、動作を続けている優先表示プログラムの動作画面が表示されることとなる。
【００３７】
ここで、画面非表示状態から画面表示状態に移行した後に、例えばユーザに４桁の暗証番号の入力を求める「ロック解除操作」を行う。画面非表示の間の盗難等に備えて安全性を担保するものである。
【００３８】
画面非表示状態から画面表示状態に移行した直後のロック解除操作の前にも画面が表示される。優先表示プログラムが動作中であればその動作画面が、優先表示プログラムが動作中でなければロック解除操作に誘導するためにシステムの用意した画面（ロック画面）が表示される。ロック解除操作の前に表示される画面に広告を表示することが、本発明の課題である。
【００３９】
以上に述べたスマートフォンの動作は、ｉＯＳのオペレーティング・システムにより動作するスマートフォンを初めとして多くのスマートフォンに共通のものである。かかる動作をするスマートフォンを「対象スマートフォン」とする。
【００４０】
アンドロイドのオペレーティング・システムによるもの等、対象スマートフォンではないスマートフォンも存在する。かかるスマートフォンでは、画面非表示状態から画面表示状態に移行した際に動作するプログラムをユーザが設定することができる。ロック解除操作の前に表示される画面に広告を表示することは容易であり、本発明によらずとも可能である。
【００４１】
（広告表示プログラムの動作）
広告表示プログラム１１は、オペレーティング・システム１０に優先表示プログラムと認識されるプログラムである。ここで、外部からインストールされるプログラムを優先表示プログラムと認識させる手法は、音楽プレイヤー作成のための技術情報として開示されているもの等を用いることができる。
【００４２】
音楽プレイヤーとして、広告表示プログラムを動作させることができる。この場合、音を出力する必要はないので、再生音楽のファイルとして無音のものを用いる。
【００４３】
図２は、広告表示プログラムの処理を示す図である。図３は、ロック解除前の表示を示す図である。図４は、ロック解除後の表示を示す図である。以下、図３及び図４を参照しつつ、図２に沿って広告表示プログラムの処理を説明する。なお、図２において、広告設定手段１１１、ロック解除起動手段１１２及びナビゲート手段１１３による処理を、符号１１１、１１２及び１１３で示す。
【００４４】
広告表示プログラム１１は、アプリケーションプログラムであり、画面表示状態においてユーザが起動することで動作を開始する。その後は、画面非表示状態となっても動作を停止せずに継続する。なお、広告表示を望まないユーザは、広告表示プログラム１１を起動しない（又は終了する）ことができる。
【００４５】
まず、画面非表示状態の処理を説明する。広告表示プログラム１１は、画面非表示状態では広告設定手段１１１を動作させる。広告設定手段１１１は、広告配信プログラム２１から広告コンテンツ１２（初期表示画像１２１、メイン表示画像１２２及び広告ＵＲＬ１２３）を受信し、保存する。
【００４６】
広告コンテンツ１２の受信は、広告配信プログラム２１が表示する広告を変化させる都度行われるべきものであるが、このために広告設定手段１１１と広告配信プログラム２１との間の通信を常時オンにしておくことは必要でない。（１）広告配信プログラム２１からプッシュ配信を行うものとし、広告設定手段１１１はその受信要求に対応する。（２）広告設定手段１１１が、例えば１時間毎の周期で広告配信プログラムに２１（広告サーバ２）にアクセスして広告コンテンツ１２を取得する。（３）広告配信プログラム２１が配信する時刻を例えば毎日午前３時と定め、広告設定手段１１１がその時刻に受信する。（４）その他の方法、によることができる。
【００４７】
広告設定手段１１は、また、動作画面に初期表示画像１２１を含めて表示する。画面非表示状態であるので実際に画面に表示されるものではないが、広告コンテンツ１２を受信する都度、画面表示状態になった際に表示されるディスプレイバッファが更新される。
【００４８】
以上の非表示状態の処理が行われている時に、画面操作ボタン１ａが押されるものとする。以下画面操作ボタンが押されてからロック解除までの処理について説明する。初期表示画像１２１を含む動作画面が、例えば図３（Ａ）のように表示される。
【００４９】
画面非表示状態で画面操作ボタンを押すことは、ユーザによるスマートフォン１の使用開始であり、ユーザは画面を見ていると考えられる。その時に初期表示画像１２１が表示され、ユーザに広告がほぼ確実に見られることとなる。
【００５０】
ここで、初期表示画像１２１は、広告設定手段１１１により広告配信システム２１の配信した最新のものとなっている。広告提供者の意図に沿った画像が表示され、ユーザに見られることとなる。
【００５１】
画面操作ボタンを押したユーザは、ロック解除を望んでいる。広告表示プログラム１１は、ロック解除起動手段１１２により、スマートフォンの有するロック解除操作をユーザに使用可能とする。
【００５２】
例えば、図３（Ａ）に示す画面において「ポーズ」ボタンを押すことにより、図３（Ｂ）に示す画面に移行する。図３（Ｂ）に示す画面ではロック解除操作へのリンクボタンが提供されている。リンクボタンを押すことで、ロック解除操作（図３（Ｃ））に移行する。ここで「ポーズ」ボタンを用いるのは、広告表示プログラム１１を音楽プレイヤーとして実装し、必然的に表示される「ポーズ」ボタンを活用しているものである。
【００５３】
ユーザは、４桁の暗証番号を入力する等の操作によってロックを解除する。
【００５４】
以上、ロック機能解除手段１１２について説明したが、動作画面からロック解除操作への移行が提供されればいかなる方法であってもよい。例えば、図３（Ｂ）に示す画面を省略し、図３（Ａ）に示す画面において「ポーズ」ボタンが押されたことで図３（Ｃ）に示すロック解除操作に進むこととしてもよい。
【００５５】
以下、ロック解除後の広告表示プログラム１１の処理を説明する。
【００５６】
広告表示プログラム１１は、ロック解除後に、メイン表示画像１２２を含む広告画面（図４（Ａ））を表示する。これは、ロック機能解除手段１１２によってロック解除操作に移行したことがわかり、動作画面から広告画面に切り替えて表示するものである。
【００５７】
広告表示プログラム１１は、広告画面を表示したことを、広告管理プログラムに送信する。
【００５８】
広告画面には、メイン表示画像１２２が表示され、初期表示画像１２１加えて新たな広告メッセージが伝えられる。ただし、メイン表示画像１２２を初期表示画像１２１と同一としてもよい。
【００５９】
広告画面は、広告ＵＲＬ１２３の内容をブラウザ１３に表示させるナビゲート手段１１３を備える。具体的には、広告ＵＲＬ１２３へのリンクを有する画像、ボタン、テキスト等を表示すればよい。本実施例では、メイン表示画像１２２に広告ＵＲＬ１２３へのリンクを持たせるものとする。
【００６０】
ユーザがメイン表示画像１２２をタップすると、ナビゲート手段１１３が起動され、ブラウザ１３が起動されて広告ＵＲＬ１２３の内容が表示される（図４（Ｂ）参照）。
【００６１】
広告表示プログラム１１は、ナビゲート手段１１３が起動され、広告ＵＲＬ１２３の内容が表示したことを、広告管理プログラムに送信する。
【００６２】
以上説明したように、本実施例の広告表示プログラム１１は、ユーザが画面操作ボタンを押して画面をオンにする際に、動作画面に含まれる初期表示画像１２１が確実に表示され、ユーザが見ることとなる。
【００６３】
また、ロック解除の後には、メイン表示画像１２２や広告ＵＲＬ１２３の内容を表示することができる。
【００６４】
更に、メイン表示画像１２２及び広告ＵＲＬ１２３の内容を表示したことを広告管理プログラム２２に伝達する。伝達を受けた広告管理プログラム２２の運営者（広告提供業者）は、各々の広告の効果を測定することができる。また、ユーザに向けて、広告を受信したことに関連したポイント付与などのサービスを行うこともできる。
【産業上の利用可能性】
【００６５】
画面操作ボタンを押した直後に確実に広告を表示することができる広告表示プログラムである。多くの広告配信業者及び個人による利用が考えられる。
【符号の説明】
【００６６】
１      スマートフォン
１ａ    画面操作ボタン
１０    オペレーティング・システム
１１    広告表示プログラム
１１１  広告設定手段
１１２  ロック解除起動手段
１１３  ナビゲート手段
１２    広告コンテンツ
１２１  初期表示画像
１２２  メイン表示画像
１２３  広告ＵＲＬ
１３    ブラウザ
２      広告サーバ
２１    広告配信プログラム
２２    広告管理プログラム
【図１】
2018073304.tif 000003
【図２】
2018073304.tif 000004
【図３】
2018073304.tif 000005
【図４】
2018073304.tif 000006